(57)【特許請求の範囲】
【請求項１】
脱着可能な記録ヘッドを搭載したキャリッジを走査しながら、前記記録ヘッドにより記録媒体に記録を行う記録装置であって、
記録を行うための第１電圧を前記記録ヘッドに供給する第１の電力ラインと、
前記第１電圧より低い第２電圧を前記記録ヘッドに供給する第２の電力ラインと、
前記第１電圧の印加のオンとオフを切り替える前記第１の電力ラインに配置されたスイッチと、
前記第１電圧を供給する電圧供給源と前記スイッチとの間で前記第１の電力ラインに接続されたライン上に配置されたキャパシタと、
前記第２の電力ラインに供給される電圧をモニタするモニタ手段と、
前記第２の電力ラインに供給される電圧をモニタする場合、前記スイッチにより前記第１電圧の印加をオフにするよう制御する制御手段とを有することを特徴とする記録装置。
【請求項２】
前記第２電圧を用いて前記記録ヘッドと前記キャリッジとの間のコンタクトチェックと前記記録ヘッドからの電流リークの検知とのうちの少なくとも１つが実行され、
前記記録ヘッドと前記キャリッジとの間の電気的な接続のために、前記記録ヘッドと前記キャリッジにはそれぞれ、複数の接点が設けられており、
前記記録ヘッドの前記キャリッジへの装着時には、
前記制御手段は、前記記録ヘッドに含まれる複数の記録素子の特定の記録素子を駆動するための駆動信号を前記複数の接点の１つずつの接点を介して出力し、前記複数の接点おのおののコンタクトチェックを行うことを特徴とする請求項１に記載の記録装置。
【請求項３】
前記制御手段は、運用中の所定のタイミングで、前記電流リークの検知を実行し、前記モニタ手段によりモニタされる電圧を所定の閾値と比較し、前記モニタされた電圧が前記所定の閾値以下であれば、電流リークが発生していると判断することを特徴とする請求項２に記載の記録装置。
【請求項４】
前記電流リークが発生した場合、前記電流リークが発生したことを示す情報が表示されることを特徴とする請求項３に記載の記録装置。
【請求項５】
前記制御手段は、前記モニタ手段によりモニタされる電圧を所定の閾値と比較し、前記モニタされた電圧が前記所定の閾値以上であれば、コンタクト不良が発生していると判断することを特徴とする請求項１乃至４のいずれか１項に記載の記録装置。
【請求項６】
前記コンタクト不良が発生した場合、前記コンタクト不良を示す情報が表示されることを特徴とする請求項５に記載の記録装置。
【請求項７】
前記記録ヘッドは、インクを記録媒体に吐出して記録を行うインクジェット記録ヘッドであることを特徴とする請求項１乃至６のいずれか１項に記載の記録装置。
【発明の詳細な説明】
【技術分野】
【０００１】
本発明は記録装置に関し、特に、キャリッジに記録ヘッドを装着し、キャリッジを往復走査しながらその記録ヘッドにより記録を行う記録装置に関する。
【背景技術】
【０００２】
キャリッジに搭載される記録ヘッドをユーザが交換可能な構成の記録装置において、ユーザが記録ヘッドを交換する際に生じる記録ヘッドの接点とキャリッジの接点の接触不良は、接点部の改良を進めてきても、現実には完全解決できていない問題である。
【０００３】
この接触不良は、記録ヘッドの交換時に微小なゴミが記録ヘッドとキャリッジの接点の間に挟み込まれることによって発生する。従って、この問題は、装置の環境において生じるので、どんなに製品を改良しても解決するのが容易でない。この接触不良を対処するための現実的な対策として、コンタクト検知という機能を設けることが考えられる。コンタクト検知により、接触不良が検知されたら、その旨をユーザに通知し、記録ヘッド装着のやり直しを促すのである。このコンタクト検知には、通常の記録に用いる電圧と同じ電圧を用いるか、或いは、それに近い電圧を用いることが考えられる。
【０００４】
また同様に、記録ヘッドを長期間にわたり使用する内に、記録ヘッドの経年変化に起因して記録ヘッド内部の回路が故障し、ヘッド電圧の供給ラインから電流リークが生じ、その結果、記録不良が発生してしまうという問題ある。そのリークを検知するために、リーク検知という機能を設けることが考えられる。リーク検知によって記録ヘッドの不良を検知し、その旨をユーザに通知し、記録ヘッドの交換を促すのである。その結果、記録不良を防止することが可能となる。従来のリーク検知では、例えば、特許文献１に開示されているように、通常の記録に用いる電源とリーク検知に用いる電源とは同じラインを介して供給される構成を用いている。
【先行技術文献】
【特許文献】
【０００５】
【特許文献１】特許第２９３０９１８号公報
【発明の概要】
【発明が解決しようとする課題】
【０００６】
しかしながら、従来のリーク検知では、通常の記録に用いるのと同じ電源を用いる構成を用いているので、その検知を行うためにも通常記録と同様に電圧を安定化させるために設けられた大容量のコンデンサに電荷をチャージする時間が必要であった。このために、リーク検知に長い時間を要するという問題があった。
【０００７】
このように、ヘッド電圧を安定化させるためのコンデンサが記録ヘッドのＧＮＤとの間に設けられる従来の構成では、コンタクト検知に関しても、やはり長い時間を要するという問題があった。昨今の記録ヘッドの回路基板には、記録の高解像度化や高速化の要求に応えるために、多くの数の記録要素や記録要素列が設けられており、その結果、数１０〜１００個にも及ぶ接点が設けられることになっている。このため、１つの接点のコンタクト検知を行うのに長時間を要する従来の構成では、コンタクト検知を装置に実装することすら現実的でないという問題すらある。しかしながら、キャリッジと記録ヘッドとを電気的に接続する接点の数が多くなればなるほど、接続不良率も高くなり、コンタクト検知を実装する必要性はますます大きくなっている。
【０００８】
従って、記録ヘッドのコンタクト検知は必要な機能ではあるものの、これを記録装置に実装するためにはその処理の高速化は急務のことであると言える。さらに、リーク検知についてもその処理の高速化は望まれている。
【０００９】
また、従来のリーク検知の構成では、リーク検知に通常のヘッド電圧、或いは、それに近い電圧を印加するため、その構成をそのままコンタクト検知に適用すると、記録ヘッドの装着不良時には記録ヘッドを損傷する可能性があるという問題もあった。
【００１０】
本発明は上記従来例に鑑みてなされたもので、高速で安全な、記録ヘッドのリーク検知とコンタクト検知とが可能な記録装置を提供することを目的としている。
【課題を解決するための手段】
【００１１】
上記目的を達成するために本発明の記録装置は次のような構成からなる。
【００１２】
即ち、脱着可能な記録ヘッドを搭載したキャリッジを走査しながら、前記記録ヘッドにより記録媒体に記録を行う記録装置であって、記録を行うための第１電圧を前記記録ヘッドに供給する第１の電力ラインと、前記第１電圧より低い第２電圧を前記記録ヘッドに供給する第２の電力ラインと、前記第１電圧の印加のオンとオフを切り替える前記第１の電力ラインに配置されたスイッチと、前記第１電圧を供給する電圧供給源と前記スイッチとの間で前記第１の電力ラインに接続されたライン上に配置されたキャパシタと、前記第２の電力ラインに供給される電圧をモニタするモニタ手段と、前記第２の電力ラインに供給される電圧をモニタする場合、前記スイッチにより前記第１電圧の印加をオフにするよう制御する制御手段とを有することを特徴とする。
【発明の効果】
【００１３】
従って本発明によれば、記録を行う場合に接続されるところのコンデンサと記録ヘッドとの接続が切断されるのでそのコンデンサへのチャージを行う時間は不要となる。これにより、コンタクトチェックや電流リークの検知のための高速化を図ることができるという効果がある。
【００１４】
さらに、コンタクトチェックや電流リークの検知を行う場合には記録を行う場合、より少ない電力が用いられるので、コンタクトチェックや電流リークの検知により記録素子を故障させることもなく、より安全な処理を行うことができる。
【図面の簡単な説明】
【００１５】
【図１】本発明の代表的な実施例であるＡ０やＢ０サイズの記録媒体を用いる記録装置の外観斜視図である。
【図２】図１に示す記録装置の制御構成を示すブロック図である。
【図３】記録ヘッドに配置された１色分のインクを吐出する、例えば、Ｋヘッドの記録素子列の配置レイアウトを表した図である。
【図４】記録装置が実行する記録ヘッドのリーク検知及びコンタクトチェックを実行する構成を説明するブロック図である。
【図５】１つの記録ヘッドに対するリーク検知及びコンタクトチェックを実行する場合の概念的構成と２つの記録ヘッドに対するリーク検知及びコンタクトチェックを実行する場合の概念的構成とを示すブロック図である。
【図６】記録ヘッドをキャリッジに装着したときに自動的に実行されるコンタクトチェックの処理を示すフローチャートである。
【図７】モニタ回路が電力ラインに現れる電圧（モニタ電圧：ＶＭ）を監視することで得られた電圧の時間変化を示す図である。
【図８】記録装置の動作中に間欠的に実行されるリーク検知処理を示すフローチャートである。
【発明を実施するための形態】
【００１６】
以下添付図面を参照して本発明の好適な実施例について、さらに具体的かつ詳細に説明する。ただし、この実施例に記載されている構成要素の相対配置等は、特定の記載がない限りは、この発明の範囲をそれらのみに限定する趣旨のものではない。
【００１７】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１９】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２０】
またさらに、「記録要素」とは、特にことわらない限り吐出口ないしこれに連通する液路およびインク吐出に利用されるエネルギーを発生する素子を総括して言うものとする。
【００２１】
＜記録装置の全体概要（図１）＞
図１は本発明の代表的な実施例であるＡ０やＢ０サイズの記録媒体を用いる記録装置の外観斜視図であり、図１（ｂ）は図１（ａ）に示した記録装置のアッパカバーを取り外した状態を示す斜視図である。
【００２２】
図１（ａ）に示されるように、記録装置２の前面に手差し挿入口８８が設けられ、その下部に前面へ開閉可能なロール紙カセット８９が設けられており、記録紙等の記録媒体は手差し挿入口８８又はロール紙カセット８９から記録装置内部へと供給される。記録装置２は、２個の脚部９３に支持された装置本体９４、排紙された記録媒体を積載するスタッカ９０、内部が透視可能な透明で開閉可能なアッパカバー９１を備えている。また、装置本体９４の右側には、操作部１２、インク供給ユニット及びインクタンクが配設されている。
【００２３】
図１（ｂ）に示されているように、記録装置２はさらに、記録媒体を矢印Ｂ方向（副走査方向）に搬送するための搬送ローラ７０と、記録媒体の幅方向（矢印Ａ方向、主走査方向）に往復移動可能に案内支持されたキャリッジ４とを備えている。記録装置２はさらに、キャリッジ４を矢印Ａ方向に往復移動させるためのキャリッジモータ（不図示）とキャリッジベルト（以下、ベルト）２７０と、キャリッジ４に装着された記録ヘッド１１とを備えている。またさらに、インクを供給するとともに記録ヘッド１１の吐出口の目詰まりなどによるインク吐出不良を解消させるための吸引式インク回復ユニット９も備えられている。なお、記録ヘッド１１はキャリッジ４に対して脱着可能であり、キャリッジに対する装着不良時には再装着や、新しい記録ヘッドとの交換が可能である。
【００２４】
この記録装置の場合、キャリッジ４には、記録媒体にカラー記録を行うために、４つのカラーインクに対応して４つのヘッドからなるインクジェット記録ヘッド（以下、記録ヘッド）１１が装着されている。即ち、記録ヘッド１１は、例えば、Ｋ（ブラック）インクを吐出するＫヘッド、Ｃ（シアン）インクを吐出するＣヘッド、Ｍ（マゼンタ）インクを吐出するＭヘッド、Ｙ（イエロ）インクを吐出するＹヘッドで構成されている。
【００２５】
以上の構成で記録媒体に記録を行う場合、搬送ローラ７０によって記録媒体を所定の記録開始位置まで搬送する。その後、キャリッジ４により記録ヘッド１１を主走査方向に走査させる動作と、搬送ローラ７０により記録媒体を副走査方向に搬送させる動作とを繰り返すことにより、記録媒体全体に対する記録が行われる。
【００２６】
即ち、ベルト２７０およびキャリッジモータ（不図示）によってキャリッジ４が図１（ｂ）に示された矢印Ａ方向に移動することにより、記録媒体に記録が行われる。キャリッジ４が走査される前の位置（ホームポジション）に戻されると、搬送ローラによって記録媒体が副走査方向（図１（ｂ）に示された矢印Ｂ方向）に搬送され、その後、再び図１中の矢印Ａ方向にキャリッジを走査する。このようにして、記録媒体に対する画像や文字等の記録が行なわれる。さらに上記の動作を繰り返し、記録媒体の１枚分の記録が終了すると、その記録媒体はスタッカ９０内に排紙され、１枚分の記録が完了する。
【００２７】
＜制御構成の説明（図２）＞
図２は記録装置の制御回路の構成を示すブロック図である。
【００２８】
図２に示されるように、記録装置２は、負荷側システム２１６と電源ユニット（ＰＷＵ）２１７から構成される。負荷側システム２１６はプリンタエンジン２０８とプリンタ制御回路２１８と電源監視制御部２１３とＤＣ／ＤＣ変換回路２１４によって構成される。プリンタ制御回路２１８は、ＣＰＵ２０１、ＲＡＭ２０２、ＲＯＭ２０３、画像処理部２０４、ＨＤＤ２０５、ホストインタフェース２０６、エンジンインタフェース２０７、操作表示部２０９、汎用Ｉ／Ｏコントローラ２１０、システムバス２１１を含む。プリンタエンジン２０８は、図１に示したような機構部を含むものであり、エンジンインタフェース（Ｉ／Ｆ）２０７を介して、プリンタ制御回路２１８により、その動作は制御される。
【００２９】
プリンタエンジン２０８と電源監視制御部２１３とＤＣ／ＤＣ変換回路２１４を除く各ブロックはシステムバス２１１によって相互に接続されている。電源ユニット２１７は商用の交流電源入力を直流に変換して出力するＡＣ／ＤＣ変換回路２１５によって構成される。なお、負荷側システム２１６と電源ユニット２１７との間は、コネクタやケーブル等（不図示）を用いて電気的に接続される。
【００３０】
ＣＰＵ２０１は記録装置２全体の制御を行う。ＣＰＵ２０１はＲＡＭ２０２もしくはＲＯＭ２０３に格納されている動作制御プログラムを実行することにより、記録装置２全体の動作を制御する。具体的には、ホストコンピュータ（以下、ホスト）から受信される印刷ジョブデータを記録媒体へ出力するための画像データへ変換するための画像処理部２０４の制御、操作表示部２０９の制御、汎用Ｉ／Ｏコントローラ２１０の制御を実行する。また、ＣＰＵ２０１は、画像処理部２０４で生成された画像データをプリンタエンジン２０８へと転送するためのエンジンインタフェース２０７の制御等を実行する。
【００３１】
ＲＡＭ２０２は、ＲＡＭデバイスおよびＲＡＭデバイスへのアクセス制御を司るＲＡＭコントローラから構成される。ＲＡＭデバイスはＣＰＵ２０１において実行される動作制御プログラムを実行する際のワークメモリや、印刷処理を実行中に生成される各種中間データを格納するためのバッファメモリとしての機能を持つ。加えて、ホストとの間で送受信される各種データ（印刷ジョブデータや各種制御データ）を一時的に格納するためのバッファメモリとしての機能を持つ。
【００３２】
ＲＯＭ２０３は、ＲＯＭデバイスおよびＲＯＭデバイスへのアクセス制御を司るＲＯＭコントローラから構成される。ＲＯＭデバイスは、ＣＰＵ２０１において実行される動作制御プログラム、記録制御用各種データ、操作表示部２０９に設けられているＬＣＤに表示するための各種画面データ等が格納される不揮発性メモリである。ＲＯＭ２０３は、ＣＰＵ２０１からの命令に従い、格納されている情報をシステムバス２１１へ出力する。動作制御プログラムには、プリンタエンジン２０８の制御用プログラム等、各種プログラムが含まれる。
【００３３】
画像処理部２０４は、印刷ジョブデータとしてホストから送信される画像データに対する色空間変換処理や、ガンマ補正処理、誤差拡散法による量子化処理等を行い、プリンタエンジンが出力可能な二値画像データの生成を行う。
【００３４】
ＨＤＤ２０５は、Ｓｅｒｉａｌ ＡＴＡ規格のハードディスクドライブおよび、システムバス２１１とハードディスクドライブのＳｅｒｉａｌ ＡＴＡ インタフェース間を接続するためのブリッジ部とから構成される。ＨＤＤ２０５は記録装置２の大容量外部記憶装置として動作し、ホストインタフェース（Ｉ／Ｆ）２０６を介してホストから受信した印刷ジョブデータを格納、保存する。
【００３５】
ホストインタフェース２０６は、記録装置２とホスト（不図示）とを接続し、両者間でデータの送受信を行う。ホストインタフェース２０６を介してホストコンピュータから受信した印刷ジョブデータは、システムバス２１１を経由してＲＡＭ２０２に格納される。ホストインタフェース２０６は、ＵＳＢ等のシリアル通信方式や１０００Ｂａｓｅ−ＴＸ等のネットワーク通信方式を用いる。
【００３６】
エンジンインタフェース２０７は、プリンタエンジン２０８とシステムバス２１１とを接続し、画像処理部２０４が生成してＲＡＭ２０２に格納されている二値画像データを順次読みだしてプリンタエンジン２０８に転送する。
【００３７】
プリンタエンジン２０８は、記録ヘッド、これを搭載するキャリッジとその駆動機構と制御回路、記録媒体の供給搬送機構とその制御回路、インクタンクから記録ヘッドへのインク供給を制御する機構とその制御回路などによって構成される。詳しくは、既に図１を参照して説明したとおりである。
【００３８】
操作表示部２０９は、ＬＣＤ、ＬＥＤやその制御回路および操作パネル１２に設けられた各種ボタンから概略構成され、各ボタンにはボタンと連動するスイッチが付随している。スイッチの状態は電気信号として出力され、制御回路を介してＣＰＵへ通知される。また操作表示部の制御回路は、操作表示部２０９に設けられているメニュー表示のためのＬＣＤ、状態表示用のＬＥＤ等に対して電気信号を出力する機能を有する。
【００３９】
加えて操作表示部２０９には、記録装置２の電源オン／オフ操作用電源ボタン、印刷キャンセル用のキャンセルボタン、各種操作・設定メニューを呼び出すためのメニューボタン、メニュー画面における項目選択のための十字カーソルボタン等が設けられている。なお、電源ボタンを含めすべてのボタンを構成するスイッチはモーメンタリタイプ、即ち、ボタン押下中だけ動作するスイッチによって構成される。
【００４０】
記録装置２はソフト制御による電源オン／オフ機能を有しており、電源ボタンの操作により以下のように動作する。ここで、記録装置２は商用電源に接続され、電力供給が可能な状態にあるものとする。
【００４１】
まず、記録装置２がシャットダウン状態（プリンタ制御回路２１８に対する電源供給がオフ状態）下で電源ボタンが押下されると、電源監視制御部２１３内のラッチ回路（不図示）によってボタン押下状態がラッチされる。ここで、ラッチ回路は出力としてハイレベルの信号を出力し、これがＤＣ／ＤＣ変換回路２１４に入力されてＤＣ／ＤＣ変換回路２１４の動作許可信号として作用する。この結果、ＤＣ／ＤＣ変換回路２１４が動作を開始し、プリンタ制御回路２１８に対する電源供給が行われて装置が起動する。
【００４２】
また、記録装置２は装置起動状態で電源ボタンが一定時間以上押下されると、ＣＰＵ２０１が所定の装置シャットダウン前処理を実行後、電源監視制御部２１３内のラッチ回路のラッチ状態を解除する信号を汎用Ｉ／Ｏコントローラ２１０を介して出力する。その結果、ラッチ回路の出力がローレベルとなってＤＣ／ＤＣ変換回路２１４をオフして電圧変換動作を停止させ、装置をシャットダウン（停止状態へ移行）させる。
【００４３】
汎用Ｉ／Ｏコントローラ２１０は、入出力ポート２１２を制御する機能を備えている。入出力ポート２１２は、汎用Ｉ／Ｏコントローラ２１０内に設けられたレジスタに設定されたパラメータに従って入力ポートまたは出力ポートとして機能する。出力に設定された入出力ポート２１２を介して電源監視制御部２１３や他の回路ブロック（不図示）を制御する。また、入力に設定された入出力ポート２１２を介して電源監視制御部２１３から出力される信号を受け、電源の出力状態を取得するとともに、システム起動状態下において、電源ボタンに対する押下操作を検出する機能を実現する。
【００４４】
電源監視制御部２１３は、電源ボタンの押下状態をラッチするラッチ回路、ラッチ回路から出力される信号の論理変換を行うトランジスタ等で構成される。ラッチ回路の出力信号は、電源ユニット２１７、ＤＣ／ＤＣ変換回路２１４の制御信号として用いられる。
【００４５】
ＤＣ／ＤＣ変換回路２１４は、ＡＣ／ＤＣ変換回路２１５が出力する直流出力電圧を、負荷側システム２１６の各ブロックが必要とする所定の直流電圧に変換して出力し分配する機能を備え、スイッチングレギュレータおよびその周辺回路で構成される。
【００４６】
従って、通常の記録動作において記録素子に印加する電圧（Ｖ１）に加えて、以下の実施例で説明するリーク検知及びコンタクトチェックのために、第１電圧（Ｖ１）よりも低い第２電圧（Ｖ２）を記録ヘッド１１に出力する。
【００４７】
ＡＣ／ＤＣ変換回路２１５は、商用の交流電圧入力を直流に変換して出力する機能を有し、降圧用の変圧器、交流を直流に変換する整流回路、出力安定化回路等で構成される。なお、リーク検知及びコンタクトチェックに用いる電圧（Ｖ２）をＡＣ／ＤＣ変換回路２１５からレギュレータ（不図示）を介して記録ヘッド１１に出力しても良い。
【００４８】
＜記録ヘッドのノズル構成（図３）＞
図３は記録ヘッド１１に配置された１色分のインクを吐出する、例えば、Ｋヘッドの記録素子列の配置レイアウトを表した図であり、そのヘッドのインク吐出面を示している。図３において、左から４つのノズル列が配置されており、右側２列のノズル列（記録素子）と左側２列のノズル列とは同一の構造で並んでいる。右側と左側２列のノズル列とは共に１２８０個の千鳥配列であり、偶数番目のノズルによる偶数ノズル列（ノズル番号０，２，……，１２７８）６４０個と奇数番目のノズルによる奇数ノズル列（ノズル番号１，３，……１２７９）６４０個との２列を構成する。
【００４９】
図３に示すように、偶数ノズル列と偶数ノズル列とはノズル間隔で半ピッチ分ずれて配置されており、このような配置により副走査方向の解像度を２倍に高めている。また、右側２列のノズル列と左側２列のノズル列で同じインクを吐出する構成とすることにより、主走査方向に２倍の吐出周波数でインクを吐出することを可能とし高速記録を達成している。
【００５０】
ここで、図３に示す主走査方向とはキャリッジ４の移動方向であり、副走査方向とは主走査方向に直交し記録媒体を搬送する方向であって、ノズルが配列された方向でもある。なお、ノズル配列方向は必ずしも、副走査方向と同じ方向である必要はなく、主走査方向に交差する方向であれば良い。
【００５１】
実際の記録ヘッド１１には図３に示した構成のノズル配列がＹＭＣＫインクに対応して主走査方向に４セット、配置される。
【００５２】
なお、記録ヘッドが用いるインクの数に応じて、図３に示したノズル配列を１セットとした構成を適宜増やすことも可能である。例えば、Ｋインクに関しては、染料ブラックインクと顔料ブラックインクと染料濃度を抑えたグレイインクを用いる構成であるならば、図３に示したノズル配列を６セット備えた記録ヘッドを構成することもできる。
【００５３】
さらには、キャリッジの往復走査の両方で記録を行う際に、ノズル配列を往路記録と復路記録で対称形とした２つの記録ヘッドを搭載した構成とすることもできる。
【００５４】
＜リーク検知及びコンタクトチェック構成（図４）＞
図４はこの実施例の記録装置が実行する記録ヘッドのリーク検知及びコンタクトチェックを実行する構成を説明するブロック図である。
【００５５】
記録ヘッド１１はキャリッジ４に装着されるとき、接点を経てキャリッジ４を介して電気的に記録装置のプリンタエンジン２０８、さらにはプリンタ制御回路２１８に接続される。記録ヘッド１１にはフレキシブプリンタケーブル（ＦＰＣ：不図示）とキャリッジ４を介してその動作に必要な電力が供給される。図４に示すように、通常の記録動作においてに記録素子に印加する第１電圧（Ｖ１）がＤＣ／ＤＣ変換回路２１４からキャリッジ４を経て記録ヘッド１１へと供給される。また、ヘッド電圧を安定化させるため、第１電圧（Ｖ１）を供給する電力ラインに対して並列に接地（ＧＮＤ）との間に容量の大きい電解コンデンサ（Ｃ１）が接続されている。
【００５６】
また、キャリッジ４において、第１電圧（Ｖ１）を供給する第１の電力ライン４１には半導体トランジスタなどで構成される第１のスイッチ（ＳＷ１）が設けられ、記録ヘッド１１への第１電圧（Ｖ１）の印加のオンオフを切り替えることができる。第１のスイッチ（ＳＷ１）はプリンタ制御回路２１８から供給される第１の制御信号（ＣＮＴＬ１）によりオンオフ制御される。
【００５７】
一方、第１電圧（Ｖ１）よりも低い第２電圧（Ｖ２）がリーク検知及びコンタクトチェックのためにキャリッジ４を経て記録ヘッド１１に供給される。第２電圧（Ｖ２）は上述のように、ＤＣ／ＤＣ変換回路２１４から供給されても良いし、或いは、ＡＣ／ＤＣ変換回路２１５からレギュレータを介して供給されても良い。
【００５８】
なお、この実施例ではＶ１＝２４Ｖ、Ｖ２＝２０Ｖとするが、他の値の電圧であっても良いことは言うまでもない。
【００５９】
第２電圧（Ｖ２）を供給する第２の電力ライン４２にも半導体トランジスタなどで構成される第２のスイッチ（ＳＷ２）が設けられ、記録ヘッド１１への第２電圧（Ｖ２）の印加のオンオフを切り替えることができる。ただし、第２のスイッチ（ＳＷ２）は、キャリッジ４の外側、例えば、プリンタエンジン２０８の内部、或いは、プリンタ制御回路２１８の内部に設けられる。これにより、キャリッジ４の内部の電気的構成を簡略化することができる。第２のスイッチ（ＳＷ２）もプリンタ制御回路２１８から供給される第２の制御信号（ＣＮＴＬ２）によりオンオフ制御される。
【００６０】
さて、第１、第２の電力ライン４１、４２により接点を介して記録ヘッド１１に印加される電圧はモニタ回路１０２により監視され、モニタ回路１０２による監視結果はプリンタ制御回路２１８に出力される。また、ヘッドドライバ１０１を経てプリンタ制御回路２１８から記録データ信号やクロック信号やヒートイネーブル信号などの記録ヘッドを駆動する信号がキャリッジ４を経て記録ヘッド１１に供給される。なお、ヘッドドライバ１０１やモニタ回路１０２はキャリッジ４の外部、例えば、プリンタエンジン２０８やプリンタ制御回路２１８に備えられる。
【００６１】
以上の構成により、記録ヘッドのリーク検知及びコンタクトチェックが実行される。なお、上述した実施の形態は一例であって、リーク検知及びコンタクトチェックのために記録ヘッドに供給される電力が、通常の記録動作を行うために記録ヘッドに供給される電力より小さくなればよい。言い換えるならば、第２の電力ライン４２を介して印加される電力が、第１の電力ライン４１を介して印加される電力より小さくなればよい。従って、上述した電力の大小関係を満たせば、第１の電圧（Ｖ１）と第２の電圧（Ｖ２）を等しくし、かつ第２の電力ライン４２の電流を第１の電力ライン４１より小さくする実施形態でも構わない。
【００６２】
なお、図４に示した構成は記録ヘッド１つに対してリーク検知及びコンタクトチェックを実行する構成であるが、上述のように、２つの記録ヘッドを実装した記録装置においてもやはり同様にリーク検知及びコンタクトチェックを実行することができる。
【００６３】
図５は１つの記録ヘッドに対するリーク検知及びコンタクトチェックを実行する場合の概念的構成と２つの記録ヘッドに対するリーク検知及びコンタクトチェックを実行する場合の概念的構成とを示すブロック図である。
【００６４】
図５において、（ａ）は１つの記録ヘッドに対するリーク検知及びコンタクトチェックを実行する場合の概念的構成を示しており、図４に示した構成をより概念的に示したものとなっている。これに対して、（ｂ）は２つの記録ヘッド１１、１１’に対するリーク検知及びコンタクトチェックを実行する場合の概念的構成を示したものである。この場合には、各記録ヘッドに対して第２電圧（Ｖ２）を印加する構成と、各記録ヘッドに対して第１電圧（Ｖ１）と第２電圧（Ｖ２）とを別々に切換可能なように別々のスイッチＳＷ３、ＳＷ４を加えた構成となる。そして、各記録ヘッドに対して電圧をモニタするモニタ回路１０２、１０２’を設ける。
【００６５】
次に、以上説明した記録装置を用いたリーク検知処理及びコンタクトチェック処理の詳細について説明する。
【００６６】
＜コンタクトチェック処理（図６〜図７）＞
図６は記録ヘッドをキャリッジに装着したときに自動的に実行されるコンタクトチェックの処理を示すフローチャートである。この処理は、ＲＯＭ２０３に格納された制御プログラムによりＣＰＵ２０１により実行される。
【００６７】
記録装置に電源が投入され、記録ヘッド１１の記録装置への装着時には、まず、ステップＳ１０ではＣＰＵ２０１は第１の制御信号（ＣＮＴＬ１）により第１のスイッチ（ＳＷ１）をオフにする。続いて、ステップＳ２０では第２の制御信号（ＣＮＴＬ２）により第２のスイッチ（ＳＷ２）をオンにする。これにより、記録ヘッド１１には第２電圧（Ｖ２＝２０Ｖ）が電力ライン４２を介して印加される。
【００６８】
そして、ステップＳ３０では電圧が安定するまで所定の時間待ち合わせる。この待ち合わせ時間は１ミリ秒のオーダ程度の値である。
【００６９】
さらに、ステップＳ３５では、ヘッドドライバ１０１から制御信号と駆動信号を記録ヘッド１１に出力し、予め決められた順番でインクが吐出しない程度のエネルギーを記録素子（ヒータ）に印加して駆動し、その記録素子を加温する。
【００７０】
図７はモニタ回路１０２が電力ライン４２に現れる電圧（モニタ電圧：ＶＭ）を監視することで得られた電圧の時間変化を示す図である。
【００７１】
図７は第２のスイッチ（ＳＷ２）をオンにし、その後、モニタ電圧（ＶＭ）が安定するまで待ち合わせ、記録素子をＰＷＭ駆動するためのヒートイネーブル信号（ＨＥ）を入力した場合に得られるモニタ電圧のプロファイルを示している。このプロファイルがパルス状の変化にならないのは、回路の寄生容量が積分された結果による。なお、ここで用いるヒートイネーブル信号（ＨＥ）のパターンはコンタクトチェック処理のためにＲＯＭ２０３にテストパターンとして格納される。
【００７２】
このプロファイルは第２電圧（Ｖ２＝２０Ｖ）を印加し、駆動信号を特定の接点を介して記録ヘッドに入力することにより得ることができる。なお、別の駆動信号を別の接点を介して記録ヘッドに入力し、別の記録素子を駆動することで、同様のプロファイルを得ることができる。このようにして、次々に異なる接点を介して駆動信号を記録ヘッドに入力することで、記録ヘッドに備えられた全ての接点についてのコンタクトチェックを行うことができる。
【００７３】
図７からの示唆されるように、１回の駆動信号の入力により、モニタ電圧のプロファイルを得るのに必要な時間は１０ミリ秒程度である。上述のように、記録ヘッドには複数の（数１０〜１００個）の接点を有しているので、全ての接点についてのコンタクトチェックを行った場合に必要な時間は１秒程度となる。
【００７４】
図６に戻って説明を続けると、ステップＳ４０ではモニタ電圧（ＶＭ）を所定の閾値（ＶTH）と比較する。ここで、ＶＭ＜ＶTH（閾値未満）であれば処理はステップＳ４５に進み、ＶＭ≧ＶTH（閾値以上）であれば、チェック対象の接点がコンタクト不良であると判断して、処理はステップＳ６０に進む。ステップＳ６０では操作表示部２０９に設けられているＬＣＤにコンタクト不良が発生した旨を表示し、ユーザに記録ヘッドの再装着を促す。なお、この際に操作表示部に備えられた特定のランプ（不図示）を点灯させるなどの警告処理を行っても良い。記録ヘッドの全ての接点はキャリッジの対応する接点と正しくコンタクトされているなら、ステップＳ６０の処理は実行されない。
【００７５】
ステップＳ４５では、全ての接点についてのコンタクトチェックが終了したかどうかを確認する。ここで、まだ未チェックの接点があると判断された場合は、処理はステップＳ２０に戻り、異なる接点についてのコンタクトチェックを行う。これに対して、全ての接点についてのコンタクトチェックが終了したと判断された場合には、処理はステップＳ５０に進む。
【００７６】
最後にステップＳ５０では、第２の制御信号（ＣＮＴＬ２）により第２のスイッチ（ＳＷ２）をオフにして、コンタクトチェックの処理を終了する。
【００７７】
＜リーク検知処理（図８）＞
図８はリーク検知の処理を示すフローチャートである。
【００７８】
この処理は記録装置の運用中に間欠的に、例えば、一定時間毎、記録媒体１ページ分の記録終了毎、或いは、所定枚数の連続記録終了毎などの所定のタイミングで実行される。なお、図６と図８とを比較すると分かるように、処理ステップ毎の個別的な処理は共通しているので、同じ処理ステップには同じステップ参照番号を付し、その説明は省略する。従って、ここでは、リーク検知処理に特有な処理についてのみ説明する。
【００７９】
リーク検知の処理ではステップＳ１０〜Ｓ３０の後、モニタ回路１０２で検出されるモニタ電圧（ＶＭ）を所定の閾値（ＶTH）と比較する。ここでは、処理を簡便化するためにコンタクトチェックで用いたのと同じ閾値を用いているが、別の値を閾値として用いても良い。ここで、ＶＭ＞ＶTHであれば、処理はステップＳ５０に進み、コンタクトチェックの処理と同様な処理を行うが、ＶＭ≦ＶTH（閾値以下）であれば、処理はステップＳ７０に進む。
【００８０】
ステップＳ７０では、操作表示部２０９に設けられているＬＣＤに電流のリークが発生した旨を表示し、ユーザに記録ヘッドの再装着や交換を促す。なお、この際に操作表示部に備えられた特定のランプ（不図示）を点灯させるなどの警告処理を行っても良い。
【００８１】
従って以上説明した実施例によれば、コンタクトチェック、或いは、電流リークの検知を実行する際にはかならず、大容量のコンデンサＣ１が回路から切り離されるので、そのコンデンサに電荷がチャージされる時間が不要となる。これにより処理の高速化が実現する。また、コンタクトチェック、或いは、電流リークの検知を実行する際には通常の電圧よりも低い電圧が用いられるので、これらの処理により記録素子を損傷することがなく安全な処理が実現する。
【００８２】
また、ステップＳ６０やＳ７０で説明したエラー処理は記録装置のみならず、記録装置を接続するホストでも実行しても良い。
【００８３】
なお、以上説明した実施例ではＡ０やＢ０サイズの記録媒体に記録を行なう所謂大判の記録装置を用いたが、Ａ４、Ａ３、Ｂ４、Ｂ５などの比較的小さなサイズの記録媒体に記録を行なう記録装置にも本発明は適用可能である。
【図１】
0005984402.tif 000002
【図２】
0005984402.tif 000003
【図３】
0005984402.tif 000004
【図４】
0005984402.tif 000005
【図５】
0005984402.tif 000006
【図６】
0005984402.tif 000007
【図７】
0005984402.tif 000008
【図８】
0005984402.tif 000009